(57)【要約】【課題】ＴＳ信号の受信が不安定な場合であっても遅延時間を調整して放送波の送信タイミングを揃えることが可能な中継放送装置及び中継放送方法を提供する。【解決手段】中継放送装置は、伝送遅延時間は短絡的には変化しないという前提のもと、算出された伝送遅延時間と記録部２４４に予め記録された予想遅延時間とを判定部２４５で比較し、これらの時間差が所定の閾値以上である場合、予想遅延時間に基づいて調整部２４６で調整遅延時間を算出する。そして、遅延部２４７でその調整遅延時間だけ放送ＴＳ信号を遅延するようにしている。これにより、放送ＴＳ信号の受信が不安定である場合であっても、放送波の無線送信のタイミングを揃えることが可能となる。【選択図】      図２
2009284202.tif 000002
【特許請求の範囲】
【請求項１】
任意の地点で共通に得られる基準信号との時間差情報及び最大遅延時間情報が付加された放送ＴＳ（Transport Stream）信号を複数の送信所に伝送し、各送信所からタイミングを揃えて同一周波数で送信する単一周波数網のデジタル放送システムで用いられ、複数の送信所のいずれに配置される中継放送装置において、
前記放送ＴＳ信号を受信して前記時間差情報及び前記最大遅延時間情報を抽出する抽出手段と、
前記基準信号を取得し、当該基準信号と前記抽出手段で抽出される時間差情報とに基づいて前記放送ＴＳ信号の実遅延時間を算出する実遅延時間算出手段と、
前記実遅延時間を予想した予想遅延時間を予め記憶する記憶手段と、
前記予想遅延時間と前記実遅延時間との時間差を算出し、この時間差が許容範囲内であるか許容範囲外であるかを判定する判定手段と、
前記判定手段で許容範囲内であると判定された場合、前記実遅延時間、予想遅延時間のいずれか一方を選択指示し、許容範囲外であると判定された場合、前記予想遅延時間を選択指示する制御手段と、
前記制御手段で選択指示された遅延時間と前記抽出手段で抽出された最大遅延時間情報が示す遅延時間とに基づいて調整時間を算出する調整時間算出手段と、
前記放送ＴＳ信号を前記調整時間だけ遅延する遅延手段と、
前記遅延された放送ＴＳ信号をデジタル放送信号に変換し、前記単一周波数網のサービスエリアに向けて送信する送信手段と
を具備することを特徴とする中継放送装置。
【請求項２】
前記記憶手段は、前記予想遅延時間と共に前記調整時間を予め予想した予想調整時間を記憶し、
前記制御手段は、前記抽出手段で前記時間差情報及び前記最大遅延時間情報が前記基準信号に基づくタイミングで抽出されなかったとき、前記記憶手段に記憶される前記予想調整時間を前記遅延手段に与えるように制御することを特徴とする請求項１記載の中継放送装置。
【請求項３】
前記判定手段が前記許容範囲外であると連続して判定する回数をカウントするカウント手段をさらに備え、
前記制御手段は、前記カウントの回数が予め決められた回数に達した場合、前記調整時間算出手段に前記実遅延時間を選択指示し、前記記憶手段に記憶されている予想遅延時間を前記実遅延時間に更新させることを特徴とする請求項１記載の中継放送装置。
【請求項４】
前記判定手段が前記許容範囲外であると連続して判定する回数をカウントするカウント手段をさらに備え、
前記制御手段は、前記カウントの回数が予め決められた回数に達した場合、前記調整時間算出手段に前記実遅延時間を選択指示し、前記記憶手段に記憶されている予想遅延時間及び予想調整時間を前記実遅延時間及び前記調整時間算出手段で算出される調整時間に更新させることを特徴とする請求項２記載の中継放送装置。
【請求項５】
前記受信された放送ＴＳ信号を後段の中継放送装置に伝送するとき、
前記判定手段で許容範囲外であると判定された場合に、前記受信された放送ＴＳ信号に付加されている時間差情報を前記予想遅延時間に基づいて補償する補償手段
をさらに備えることを特徴とする請求項１記載の中継放送装置。
【請求項６】
任意の地点で共通に得られる基準信号との時間差情報及び最大遅延時間情報が付加された放送ＴＳ（Transport Stream）信号を複数の送信所に伝送し、各送信所からタイミングを揃えて同一周波数で送信する単一周波数網のデジタル放送システムで用いられる中継放送方法において、
前記放送ＴＳ信号を受信し、
前記受信した放送ＴＳ信号から前記時間差情報及び前記最大遅延時間情報を抽出し、
前記基準信号を取得し、
前記取得した基準信号と前記抽出される時間差情報とに基づいて前記放送ＴＳ信号の実遅延時間を算出し、
前記実遅延時間を予想した予想遅延時間を予め記憶し、
前記予想遅延時間と前記実遅延時間との時間差を算出して当該時間差が許容範囲内であるか許容範囲外であるかを判定し、
前記判定で許容範囲内であると判定された場合、前記実遅延時間、予想遅延時間のいずれか一方を選択指示し、
前記判定で許容範囲外であると判定された場合、前記予想遅延時間を選択指示し、
前記選択指示された遅延時間と前記抽出された最大遅延時間情報が示す遅延時間とに基づいて調整時間を算出し、
前記放送ＴＳ信号を前記調整時間だけ遅延し、
前記遅延された放送ＴＳ信号をデジタル放送信号に変換して前記単一周波数網のサービスエリアに向けて送信することを特徴とする中継放送方法。
【請求項７】
前記受信された放送ＴＳ信号を後段の送信所に伝送するとき、
前記判定で許容範囲外であると判定された場合、前記受信された放送ＴＳ信号に付加されている時間差情報を前記予想遅延時間に基づいて補償することを特徴とする請求項６記載の中継放送方法。
【発明の詳細な説明】
【技術分野】
【０００１】
本発明は、例えば単一周波数網を構成し、伝送される放送信号の遅延時間を調整する中継放送装置及び中継放送方法に関する。
【背景技術】
【０００２】
デジタル放送システムでは、複数の送信所からそれぞれのサービスエリアに向けて同じ放送内容を同一の周波数で放送するＳＦＮ（Single Frequency Network）の構築が試みられている。このＳＦＮを実現する場合、各送信所に配備される中継放送装置では、互いに放送波の送信タイミングを一致させる必要がある。そのための手段の一つとして、伝送される放送ＴＳ信号に、各中継放送装置においてどのくらい遅延させる必要があるかの情報（以下、遅延情報）を重畳し、その遅延情報及びＧＰＳ（Global Positioning System）等からの基準信号を使用して、遅延時間を求める方法がある（例えば、特許文献１参照）。
【０００３】
ところで、遅延情報は、ある決まった周期に従って定期的に放送ＴＳ信号に重畳されて送信されるが、その周期と基準信号の周期とは必ずしも一致していない。そのため、親局では、遅延情報の送信タイミングが基準信号に対してどの程度ずれて送信されているかを示す信号（ＳＴＳ（Synchronization Time Stamp）信号）を遅延情報と共に放送ＴＳ信号に重畳して、放送ＴＳ信号を送信している。各中継放送装置は、放送ＴＳ信号及び基準信号を受信し、放送ＴＳ信号に重畳される遅延情報とＳＴＳ信号を基に、基準信号を用いて、送信された信号がどの程度遅延しているかを算出しながらトータルの遅延時間を合わせるようにしている。
【０００４】
しかしながら、放送ＴＳ信号の受信が不安定な状態においては、遅延情報及びＳＴＳ信号が正確に受信されず、トータルの遅延時間を合わせて放送波を無線送信することが困難になるおそれがある。また、この放送ＴＳ信号を後段の中継放送装置に中継した場合、後段の中継放送装置でも遅延時間の算出が不安定なものになる可能性があるため、結果として遅延時間の調整に影響を与える危険性もある。
【特許文献１】特開２００５−１７５６９９号公報
【発明の開示】
【発明が解決しようとする課題】
【０００５】
以上のように、従来の中継放送装置では、放送ＴＳ信号の受信が不安定になると、放送波を送信する際の遅延時間の調整が困難であり、また、この放送ＴＳ信号を後段の中継放送装置に中継する際には、後段の中継放送装置における遅延時間の調整に影響を与えるおそれがあった。
【０００６】
本発明は上記事情によりなされたもので、その目的は、ＴＳ信号の受信が不安定な場合であっても遅延時間を調整して放送波の送信タイミングを揃えることが可能な中継放送装置及び中継放送方法を提供することにある。
【課題を解決するための手段】
【０００７】
上記目的を達成するため、本発明に係る中継放送装置は、任意の地点で共通に得られる基準信号との時間差情報及び最大遅延時間情報が付加された放送ＴＳ（Transport Stream）信号を複数の送信所に伝送し、各送信所からタイミングを揃えて同一周波数で送信する単一周波数網のデジタル放送システムで用いられ、複数の送信所のいずれに配置される中継放送装置において、前記放送ＴＳ信号を受信して前記時間差情報及び前記最大遅延時間情報を抽出する抽出手段と、前記基準信号を取得し、当該基準信号と前記抽出手段で抽出される時間差情報とに基づいて前記放送ＴＳ信号の実遅延時間を算出する実遅延時間算出手段と、前記実遅延時間を予想した予想遅延時間を予め記憶する記憶手段と、前記予想遅延時間と前記実遅延時間との時間差を算出し、この時間差が許容範囲内であるか許容範囲外であるかを判定する判定手段と、前記判定手段で許容範囲内であると判定された場合、前記実遅延時間、予想遅延時間のいずれか一方を選択指示し、許容範囲外であると判定された場合、前記予想遅延時間を選択指示する制御手段と、前記制御手段で選択指示された遅延時間と前記抽出手段で抽出された最大遅延時間情報が示す遅延時間とに基づいて調整時間を算出する調整時間算出手段と、前記放送ＴＳ信号を前記調整時間だけ遅延する遅延手段と、前記遅延された放送ＴＳ信号をデジタル放送信号に変換し、前記単一周波数網のサービスエリアに向けて送信する送信手段とを具備する。
【０００８】
また、本発明に係る中継放送方法は、任意の地点で共通に得られる基準信号との時間差情報及び最大遅延時間情報が付加された放送ＴＳ（Transport Stream）信号を複数の送信所に伝送し、各送信所からタイミングを揃えて同一周波数で送信する単一周波数網のデジタル放送システムで用いられる中継放送方法において、前記放送ＴＳ信号を受信し、前記受信した放送ＴＳ信号から前記時間差情報及び前記最大遅延時間情報を抽出し、前記基準信号を取得し、前記取得した基準信号と前記抽出される時間差情報とに基づいて前記放送ＴＳ信号の実遅延時間を算出し、前記実遅延時間を予想した予想遅延時間を予め記憶し、前記予想遅延時間と前記実遅延時間との時間差を算出して当該時間差が許容範囲内であるか許容範囲外であるかを判定し、前記判定で許容範囲内であると判定された場合、前記実遅延時間、予想遅延時間のいずれか一方を選択指示し、前記判定で許容範囲外であると判定された場合、前記予想遅延時間を選択指示し、前記選択指示された遅延時間と前記抽出された最大遅延時間情報が示す遅延時間とに基づいて調整時間を算出し、前記放送ＴＳ信号を前記調整時間だけ遅延し、前記遅延された放送ＴＳ信号をデジタル放送信号に変換して前記単一周波数網のサービスエリアに向けて送信することを特徴とする。
【０００９】
上記構成による中継放送装置及び中継放送方法では、実遅延時間は短絡的には変化しないという前提のもと、実遅延時間を予想した予想遅延時間を予め記憶手段に記憶している。そして、算出された実遅延時間と予想伝送遅延時間とを比較し、その時間差が許容範囲外である場合、予想遅延時間に基づいて調整時間を算出し、その調整時間だけ放送ＴＳ信号を遅延させるようにしている。これにより、放送ＴＳ信号の受信が不安定である場合であっても、遅延時間を調整し、放送波の無線送信のタイミングを揃えることが可能となる。
【発明の効果】
【００１０】
本発明によれば、ＴＳ信号の受信が不安定な場合であっても遅延時間を調整して放送波の送信タイミングを揃えることが可能な中継放送装置及び中継放送方法を提供することができる。
【発明を実施するための最良の形態】
【００１１】
以下、図面を参照しながら本発明に関わる中継放送装置及び中継放送方法の実施の形態について詳細に説明する。
【００１２】
図１は、本発明の一実施形態に係る中継放送装置を用いたデジタル放送システムの一例を示す図である。図１において、親局１０、送信所２０−１，２０−２は、同一放送内容を同一周波数で放送するＳＦＮ（Single Frequency Network）を形成している。親局１０は、放送ＴＳ信号を規定の変調方式に基づいて変調し、送信所２０−１に送信する。このとき、放送ＴＳ信号には、遅延情報及びその放送ＴＳ信号の送信タイミングの基準時間に対するずれを示すＳＴＳ（Synchronization Time Stamp）が重畳されている。ここで、遅延情報には、ネットワーク全体における遅延時間を示す最大遅延時間情報が含まれている。
【００１３】
ＧＰＳ（Global Positioning System）３０は、基準時間信号（１ＰＰＳ）及び基準周波数信号（１０ＭＨｚ）を送信所２０−１，２０−２に送信する。なお、親局１０は、この１ＰＰＳの間に少なくとも１回は放送ＴＳ信号を送信する。
【００１４】
送信所２０−１は、中継放送装置２０１−１を備え、親局１０からの放送ＴＳ信号を送信所２０−２に伝送すると共に、この放送ＴＳ信号を放送波に変換してＳＦＮサービスエリアに無線送信する。送信所２０−２は、中継放送装置２０１−２を備え、送信所２０−１からの放送ＴＳ信号をさらに後段の送信所に伝送すると共に、放送ＴＳ信号を放送波に変換して無線送信する。
【００１５】
図２は、本発明の一実施形態に関わる中継放送装置２０１−１の機能構成を示すブロック図である。変調された放送ＴＳ信号は、受信部２１で受信され、復調部２２で復調される。復調された放送ＴＳ信号は、ＧＰＳ受信部２３で受信された基準時間信号及び基準周波数信号に基づいて遅延時間調整部２４で遅延時間が調整される。遅延時間が調整された放送ＴＳ信号は、変調部２５で放送波の伝送形式に則して変調された後、送信部２６から無線送信される。
【００１６】
上記遅延時間調整部２４は、ＴＳ受信部２４１、抽出部２４２、算出部２４３、記録部２４４、判定部２４５、調整部２４６、遅延部２４７、ＴＳ送信部２４８及び制御部２４９を備える。
【００１７】
ＴＳ受信部２４１は、放送ＴＳ信号を受信し、受信した放送ＴＳ信号を遅延部２４７及び抽出部２４２に供給する。
【００１８】
抽出部２４２は、ＧＰＳ受信部２３からの基準周波数信号に従って動作し、放送ＴＳ信号からＳＴＳ情報及び最大遅延時間情報を抽出し、ＳＴＳ情報を算出部２４３に供給し、最大遅延時間情報を調整部２４６に供給する。
【００１９】
算出部２４３は、ＧＰＳ受信部２３から基準時間信号及び基準周波数信号を受け取り、ＳＴＳ情報と基準時間信号及び基準周波数信号を基に親局１０から自装置までの伝送遅延時間を算出する。そして、算出した伝送遅延時間を記録部２４４、判定部２４５及び調整部２４６に供給する。
【００２０】
記録部２４４は、親局１０から自装置までの伝送遅延時間を予想した予想遅延時間を予め記録している。さらに、記録部２４４は、デジタル放送システムの規模とこの予想遅延時間とから算出される予想調整遅延時間を予め記録している。記録部２４４は、制御部２４９からの更新指示により、予想遅延時間及び予想調整遅延時間を更新する。また、記録部２４４は、予想遅延時間を出力する指示を制御部２４９から受けると、予想遅延時間を判定部２４５及び調整部２４６に供給し、予想調整遅延時間を出力する指示を制御部２４９から受けると、予想調整遅延時間を遅延部２４７に供給する。さらに、記録部２４４は、制御部２４９からの出力指示により、補償部２７に予想遅延時間を供給する。
【００２１】
判定部２４５は、算出部２４３で算出された伝送遅延時間と記録部２４４からの予想遅延時間とを受け取り、両遅延時間の時間差を算出する。そして、この時間差の絶対値が予め設定した閾値未満であるか否かを判定し、その判定結果を制御部２４９に通知する。
【００２２】
調整部２４６は、算出部２４３で算出された伝送遅延時間と記録部２４４からの予想遅延時間とを受け取り、抽出部２４２で抽出された最大遅延時間情報が示す遅延時間から、制御部２４９により選択指示された遅延時間と変調部２５の遅延時間（固定値）とを減算した値を自装置の調整遅延時間として算出する。調整部２４６は、算出された調整遅延時間を遅延部２４７に供給する。また、調整部２４６は、制御部２４９からの出力指示があった場合には、算出された調整遅延時間を記録部２４４及び遅延部２４７に供給する。
【００２３】
遅延部２４７は、放送ＴＳ信号を調整遅延時間だけ遅延させてＴＳ送信部２４８に供給する。ＴＳ送信部２４８は、この放送ＴＳ信号を後続の変調部２５に供給する。
【００２４】
制御部２４９は、抽出部２４２でＳＴＳ及び最大遅延時間情報が基準時間（１ＰＰＳ）内に少なくとも一回は抽出できたか否かを判定し、抽出できた場合、記録部２４４に対して記録部２４４に記録されている予想遅延時間を判定部２４５及び調整部２４６に出力するよう指示を与える。抽出できない場合、記録部２４４に対して記録部２４４に記録される予想調整遅延時間を遅延部２４７に出力するよう指示を与える。
【００２５】
また、制御部２４９は、算出された伝送遅延時間と予想遅延時間との時間差が閾値未満である旨の通知を判定部２４５から受けた場合、調整部２４６に対して算出された伝送遅延時間の選択指示を与える。
【００２６】
制御部２４９は、カウンタ２４９１を備えている。カウンタ２４９１は、算出された伝送遅延時間と予想遅延時間との時間差が連続して閾値以上になる回数をカウントするものであり、この時間差が閾値以上となる旨の通知が判定部２４５から通知されると、その回数をカウントする。制御部２４９は、遅延時間の時間差が閾値以上である旨の通知を判定部２４５から受けた場合、カウンタ２４９１の回数が予め決められた回数に達しているか否かを判定し、規定の回数に達していない場合、調整部２４６に対して予想遅延時間を選択するよう指示を与えると共に、記録部２４４に対して予想遅延時間を補償部２７に供給するように指示を与える。この回数が規定の回数に達した場合、調整部２４６に対して算出部２４３からの伝送遅延時間を選択するよう指示を与える。
【００２７】
また、制御部２４９は、カウンタ２４９１の回数が規定の回数に達した場合、調整部２４６に対して調整遅延時間を記録部２４４及び遅延部２４７に供給するよう指示を与える。こののち、制御部２４９は、記録部２４４で記録される予想遅延時間及び予想調整遅延時間を、算出部２４３から供給される伝送遅延時間及び調整部２４６から供給される調整遅延時間で更新するよう指示を与える。
【００２８】
上記補償部２７は、記録部２４４から予想遅延時間を受け取った場合、復調部２２で復調された放送ＴＳ信号のＳＴＳを、この伝送遅延時間に基づいて補償する。補償された放送ＴＳ信号は、変調部２８で規定の変調方式に基づいて変調され、伝送部２９から後段の送信所へ伝送される。
【００２９】
次に、上記構成における遅延時間調整部２４の制御部２４９の処理動作を説明する。図３は、本発明の一実施形態に係る遅延時間調整部２４の制御部２４９が遅延時間を調整する際のフローチャートである。
【００３０】
まず、制御部２４９は、抽出部２４２でＳＴＳ及び最大遅延時間情報が抽出できたか否かを判定する（ステップ３ａ）。放送ＴＳ信号が正常に受信され、ＳＴＳ及び最大遅延時間情報が読み出せる場合（ステップ３ａのＹｅｓ）、制御部２４９は、予想遅延時間を判定部２４５及び調整部２４６に出力するよう記録部２４４に指示を与える（ステップ３ｂ）。判定部２４５は、予想遅延時間と算出部２４３からの伝送遅延時間を受け取り、時間差についての判定を行う。
【００３１】
続いて、制御部２４９は、判定部２４５からの判定結果が遅延時間の時間差が閾値未満であるか否かを判断する（ステップ３ｃ）。この時間差が閾値未満である場合（ステップ３ｃのＹｅｓ）、調整部２４６に対して算出部２４３からの伝送遅延時間を選択するように指示を与えて処理を終了する（ステップ３ｄ）。
【００３２】
遅延時間の時間差が閾値以上である場合（ステップ３ｃのＮｏ）、カウンタ２４９１の回数が規定値未満であるか否かを判定する（ステップ３ｅ）。回数が規定値未満である場合（ステップ３ｅのＹｅｓ）、調整部２４６に対して予想遅延時間を選択するように指示を与えて処理を終了する（ステップ３ｆ）。
【００３３】
カウンタ２４９１の回数が規定値以上である場合（ステップ３ｅのＮｏ）、調整部２４６に対して算出部２４３からの伝送遅延時間を選択するよう指示を与える（ステップ３ｇ）。そして、制御部２４９は、調整部２４６に対して調整遅延時間を遅延部２４７及び記録部２４４に供給するよう指示を与える（ステップ３ｈ）。制御部２４９は、予想遅延時間及び予想調整遅延時間を、算出部２４３から供給された伝送遅延時間及び調整部２４６から供給された調整遅延時間で更新するよう記録部２４４に指示を出して処理を終了する（ステップ３ｉ）。
【００３４】
制御部２４９は、ステップ３ａにおいて、放送ＴＳ信号が受信されなかった等の理由により、ＳＴＳ及び最大遅延時間情報が抽出できなかった場合（ステップ３ａのＮｏ）、記録部２４４に対して予想調整遅延時間を遅延部２４７に出力するよう指示を出し（ステップ３ｊ）、処理を終了する。遅延部２４７は、この予想調整遅延時間を受け取り、放送ＴＳ信号を遅延させる。
【００３５】
図４は、本発明の一実施形態に係る遅延時間調整部２４による放送ＴＳ信号の遅延調整を示す概念図である。  
中継放送装置２０１−１は、放送ＴＳ信号を図４における放送ＴＳ信号受信タイミングで受信する。中継放送装置２０１−１は、親局１０から送信された放送ＴＳ信号からＳＴＳを抽出し、伝送遅延時間Ｄ１を算出する。そして、同じく受信した放送ＴＳ信号から抽出した最大遅延時間情報と算出した伝送遅延時間Ｄ１とから調整遅延時間Ｄ２を算出し、放送波の無線送信のタイミングを揃える。なお、ここで算出される伝送遅延時間Ｄ１は、通常では数１０マイクロ秒程度であり、最大遅延時間は数ミリ秒程度である。
【００３６】
中継放送装置２０１−２は、中継放送装置２０１−１で中継された放送ＴＳ信号を図４における放送ＴＳ信号受信タイミングで受信する。中継放送装置２０１−２は、受信した放送ＴＳ信号からＳＴＳを抽出し、伝送遅延時間Ｄ３を算出する。そして、同じく受信した放送ＴＳ信号から抽出した最大遅延時間情報と算出した伝送遅延時間Ｄ３とから調整遅延時間Ｄ４を算出し、放送波の無線送信のタイミングを揃える。
【００３７】
中継放送装置２０１−１，２０１−２は、伝送遅延時間は短絡的には変化しないという前提のもと、算出された伝送遅延時間と記録部２４４に予め記録された予想遅延時間とを比較し、これらの時間差が所定の閾値以上である場合、予想遅延時間に基づいて調整遅延時間を算出し、その調整遅延時間だけ放送ＴＳ信号を遅延させるようにしている。これにより、放送ＴＳ信号の受信が不安定であり、ＳＴＳが正常に読み取れない場合であっても、中継放送装置２０１−１，２０１−２は、遅延時間を調整して放送波の無線送信のタイミングを揃えることが可能となる。
【００３８】
また、中継放送装置２０１−１は、算出された伝送遅延時間と予想遅延時間との時間差が所定の閾値以上である場合、補償部２７でこの予想遅延時間に基づいて、受信した放送ＴＳ信号のＳＴＳを補償したのち、その放送ＴＳ信号を中継放送装置２０１−２に伝送するようにしている。これにより、放送ＴＳ信号の受信が不安定であり、ＳＴＳが正常に読み取れない場合であっても、ＳＴＳ情報にエラーのある放送ＴＳ信号を後段の中継放送装置へ伝送することを回避することが可能となる。すなわち、後段の中継放送装置においても正確に遅延時間を調整して放送波を無線送信するタイミングを揃えることが可能となる。
【００３９】
また、中継放送装置２０１−１，２０１−２は、算出された伝送遅延時間と予想遅延時間との時間差が閾値以上となる回数が規定の回数に達した場合には、記録部２４４に記録されている予想遅延時間及び予想調整遅延時間を新たな値で更新するようにしている。これにより、伝送経路において何らかの変化があり伝送遅延時間及び最大遅延時間が長期的に変化した場合であっても、その変化に追従して自動的に予想遅延時間及び予想調整遅延時間を更新することが可能となる。
【００４０】
さらに、中継放送装置２０１−１，２０１−２は、ＳＴＳ及び最大遅延時間情報を抽出できない場合、受信した放送ＴＳ信号を、記録部２４４に予め記録された予想調整遅延時間だけ遅延させて無線放送するようにしている。これにより、放送ＴＳ信号の受信が不安定である等により、ＳＴＳ及び最大遅延時間情報が抽出できない場合でも、中継放送装置２０１−１，２０１−２は、放送波の無線送信のタイミングを揃えることが可能となる。
【００４１】
以上説明したように、本発明に係る中継放送装置及び中継放送方法によれば、放送ＴＳ信号の受信が不安定な場合であっても遅延時間を調整して放送波の送信タイミングを揃えることができる。
【００４２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００４３】
【図１】本発明の一実施形態に係るデジタル放送システムの一例を示す図である。
【図２】図１の中継放送装置の機能構成を示すブロック図である。
【図３】図２の制御部が遅延時間を調整する際のフローチャートである。
【図４】図１の遅延時間調整部による放送ＴＳ信号の遅延時間の調整を示す概念図である。
【符号の説明】
【００４４】
１０…親局
２０−１，２０−２…送信所
２０１−１，２０１−２…中継放送装置
２１…受信部
２２…復調部
２３…ＧＰＳ受信部
２４…遅延時間調整部
２４１…ＴＳ受信部
２４２…抽出部
２４３…算出部
２４４…記録部
２４５…判定部
２４６…調整部
２４７…遅延部
２４８…ＴＳ送信部
２４９…制御部
２４９１…カウンタ
２５…変調部
２６…送信部
２７…補償部
２８…変調部
２９…伝送部
３０…ＧＰＳ
【図１】
2009284202.tif 000003
【図２】
2009284202.tif 000004
【図３】
2009284202.tif 000005
【図４】
2009284202.tif 000006